(57)【要約】【課題】空気を遠方へと到達させることができる空気調和機を提供する。【解決手段】空気調和機１は、輻射部５２と室内ファン２３とを備える。輻射部５２は、天井ＣＬと共に遠方へと第１空気を送る空気経路の一部を構成すると共に、輻射によって室内の温度調整を行う。室内ファン２３は、天井ＣＬと輻射部との間の隙間Ｇ１である空気経路に第１空気を流す。【選択図】        図１
2004257697.tif 000002
【特許請求の範囲】
【請求項１】
遠方へと第１空気を送る空気経路（Ｇ１，Ｇ２）の一部を構成すると共に輻射によって室内の温度調整を行う輻射部（５２）と、
前記空気経路（Ｇ１，Ｇ２）に前記第１空気を流す送風部（２３）と、
を備える空気調和機（１）。
【請求項２】
前記輻射部（５２）は、天井（ＣＬ）または側壁（ＷＬ）の近傍に設けられ、
前記送風部（２３）は、前記天井（ＣＬ）または前記側壁（ＷＬ）と前記輻射部（５２）との間に前記第１空気を流す、
請求項１に記載の空気調和機（１）。
【請求項３】
前記輻射部（５２）は、天井（ＣＬ）または側壁（ＷＬ）の近傍に設けられ、
前記天井（ＣＬ）または前記側壁（ＷＬ）と前記輻射部（５２）との間を仕切り前記空気経路（Ｇ２）の一部を構成する仕切り部（５８）をさらに備え、
前記送風部（２３）は、前記輻射部（５２）と前記仕切り部（５８）との間に前記第１空気を流す、
請求項１に記載の空気調和機（１）。
【請求項４】
前記輻射部（５２）は、温度調整された第２空気が取り込まれることにより大気圧より大きな圧力が生じる圧力発生空間（ＰＳ）を内側に構成し、前記第２空気が吹き出す複数の孔を有する、
請求項１から３のいずれかに記載の空気調和機（１）。
【請求項５】
前記輻射部（５２）の少なくとも一部は、所定の輻射率を有する繊維系材料によって形成される、
請求項４に記載の空気調和機（１）。
【請求項６】
前記送風部（２３）は、温度調整された前記第１空気を前記空気経路（Ｇ１，Ｇ２）に流す、
請求項１から５のいずれかに記載の空気調和機（１）。
【発明の詳細な説明】
【０００１】
【発明の属する技術分野】
本発明は、空気調和機に関する。
【０００２】
【従来の技術】
温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【０００３】
一方、輻射を利用して室内の温度調整を行う輻射式空気調和機が従来知られている（特許文献２参照）。この輻射式空気調和機によれば、輻射によって室内の温度調整を行うことができるため、対流式空気調和機よりも穏やかに室内の温度調整を行うことができる。
【０００４】
【特許文献１】
特開２００１−４１４８８号公報
【０００５】
【特許文献２】
特開平５−３１２３８８号公報
【０００６】
【発明が解決しようとする課題】
上記のような対流型空気調和機においては、吹き出された空気がより遠方へと到達できることが望ましい。温度調整された空気がより遠方へと到達することにより、室内の温度分布をより適切なものにすることができるためである。
吹き出された空気をより遠方へと到達させるためには、天井裏等に空気が通るダクトを特別に設けることが考えられる。ダクトを介して空気を室内へと送ることにより、空気をより遠方へと到達させることができる。しかし、この場合、ダクトを設けるためにコストが増大する恐れがある。
【０００７】
また、輻射式空気調和機においても、空気の吹き出しが行われ遠方へと空気を到達させることができれば、より適切な温度調整を行うことができる。
本発明の課題は、空気を遠方へと到達させることができる空気調和機を提供することにある。
【０００８】
【課題を解決するための手段】
請求項１に記載の空気調和機は、輻射部と送風部とを備える。輻射部は、遠方へと第１空気を送る空気経路の一部を構成すると共に、輻射によって室内の温度調整を行う。送風部は、空気経路に第１空気を流す。
この空気調和機では、輻射部からの輻射によって室内の温度調整を行うことができる。
【０００９】
また、送風部は、空気経路に第１空気を流す。このため、第１空気は、輻射部に沿って流れて遠方へと到達することができる。このように、この空気調和機では、輻射部を利用することによって、空気を遠方へと到達させることができる。
請求項２に記載の空気調和機は、請求項１に記載の空気調和機であって、輻射部は、天井または側壁の近傍に設けられる。そして、送風部は、天井または側壁と輻射部との間に第１空気を流す。
【００１０】
この空気調和機では、送風部は、天井または側壁と輻射部との間に第１空気を流す。このため、第１空気は、天井または側壁と輻射部とに沿って遠方へと到達することができる。このように、この空気調和機では、天井または側壁と輻射部とを擬似的にダクトとして利用することにより、空気を遠方へと到達させることができる。
【００１１】
請求項３に記載の空気調和機は、請求項１に記載の空気調和機であって、輻射部は、天井または側壁の近傍に設けられ、仕切り部をさらに備える。仕切り部は、天井または側壁と輻射部との間を仕切り、空気経路の一部を構成する。そして、送風部は、輻射部と仕切り部との間に第１空気を流す。
この空気調和機では、送風部は、輻射部と仕切り部との間に第１空気を流す。このため、第１空気は、輻射部と仕切り部とに沿って遠方へと到達することができる。このように、この空気調和機では、輻射部と仕切り部とを擬似的にダクトとして利用することにより、空気を遠方へと到達させることができる。
【００１２】
請求項４に記載の空気調和機は、請求項１から３のいずれかに記載の空気調和機であって、輻射部は、圧力発生空間を内側に構成し、複数の孔を有する。圧力発生空間には、温度調整された第２空気が取り込まれることにより、大気圧より大きな圧力が生じる。複数の孔からは、第２空気が吹き出す。
この空気調和機では、温度調整された第２空気により、輻射部の温度が調整される。これにより、この空気調和機は、輻射部からの輻射によって、室内の温度調整を行うことができる。また、輻射部が有する複数の孔から温度調整された第２空気が室内へ吹き出される。このため、この空気調和機は、輻射部の孔から吹き出される空気によっても、室内の温度調整を行うことができる。このように、この空気調和機では、輻射と空気の吹出しとが併用されるため、吹出しのみによって室内の温度調整が行われる場合と比べて、穏やかな吹出しによって室内の温度調整を行うことができる。このため、この空気調和機では、ドラフトによる不快感を低減することができる。
【００１３】
請求項５に記載の空気調和機は、請求項４に記載の空気調和機であって、輻射部の少なくとも一部は、所定の輻射率を有する繊維系材料によって形成される。
この空気調和機では、圧力発生空間に生じた大気圧より大きな圧力によって、輻射部の繊維の目の隙間から温度調整された空気が室内へ吹き出される。このため、この空気調和機では、輻射部からの空気の吹出しが穏やかである。従って、この空気調和機では、穏やかな吹出しと輻射とによって室内の空気調和を行うことができる。
【００１４】
請求項６に記載の空気調和機は、請求項１から５のいずれかに記載の空気調和機であって、送風部は、温度調整された第１空気を空気経路に流す。
この空気調和機では、送風部は、温度調整された第１空気を空気経路に流す。従って、温度調整された第１空気が遠方へと到達することができる。このため、この空気調和機では、より均一な室内の温度調整を行うことができ、温度むらの発生を抑えることができる。
【００１５】
【発明の実施の形態】
＜第１実施形態＞
［全体構成］
本発明の第１実施形態にかかる空気調和機１を図１に示す。この空気調和機１は、室内機２と室外機３とを備えており、輻射と、温度調整された空気の吹き出しとによって冷暖房等の室内の空気調和を行うことができる。なお、図１では、理解の容易のため、空気調和機１の一部が断面図として示されている。
【００１６】
室外機３は、室外に配置され、圧縮機３１、四路切換弁３２、電動弁３３、室外ファン（図示せず）、室外ファンモータ３４、室外機温度センサ３５（以上、図３参照）、室外熱交換器（図示せず）等を備えている。
圧縮機３１、電動弁３３、四路切換弁３２、室外熱交換器等は、後述する室内熱交換器２２と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００１７】
室内機２は、室内の天井ＣＬ近傍に配置され、室内機ケーシング２１、室内熱交換器２２、室内ファン２３、室内ファンモータ２４（図３参照）、室内機温度センサ２５（図３参照）、輻射パネル構造体５ａなどを備えている。
室内機ケーシング２１は、室内熱交換器２２や室内ファン２３等を内部に収納しており、吸込み口２６と接続口２７と吹出し口２８とを備えている。吸込み口２６は、室内から室内機ケーシング２１内へと取り入れられる空気が通る開口である。接続口２７は、室内機ケーシング２１内で室内熱交換器２２を通って輻射パネル構造体５ａへと送られる空気が通る開口であり、後述する輻射パネル構造体５ａの空気取入れ口５１に着脱自在に接続される。吹出し口２８は、輻射パネル構造体５ａと天井ＣＬとの間の隙間Ｇ１へと送られる空気が吹き出る開口である。
【００１８】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ室内熱交換器２２で温度調整された空気を輻射パネル構造体５ａへと送る。この空気は、吸込み口２６から室内機ケーシング２１の内部に取り込まれ、室内熱交換器２２、接続口２７および空気取入れ口５１を通って輻射パネル構造体５ａの内部へと到る。また、室内ファン２３は、天井ＣＬと輻射パネル構造体５ａとの間の隙間Ｇ１へも空気を送る。この空気は、吸込み口２６から室内機ケーシング２１の内部に取り込まれ、吹出し口２８を通って、輻射パネル構造体５ａと天井ＣＬの間の隙間Ｇ１に沿って流れて遠方へと到る。
【００１９】
室内機温度センサ２５には、室内熱交換器２２の温度や室内空気の温度等を検出する各種の温度センサが含まれる。
輻射パネル構造体５ａは、天井ＣＬの近傍に配置され、温度調整された空気の温度を利用した輻射と、温度調整された空気の吹出しとによって冷暖房等の空気調和を行う。輻射パネル構造体５ａの構成については、後に詳細に説明する。
【００２０】
また、空気調和機１は、制御部６を備えている。制御部６は、室外機３と室内機２とに分かれて配置されており、空気調和機１の運転制御を行う。制御部６は、図３に示すように、圧縮機３１、四路切換弁３２、電動弁３３、室外ファンモータ３４、室外機温度センサ３５、室内ファンモータ２４、室外機温度センサ２５などの構成部品と接続されている。制御部６は、リモコン７から運転指令を受けると、各構成部品を制御して空気調和機１の運転制御を行う。
【００２１】
［輻射パネル構造体の構成］
図２に輻射パネル構造体５ａの外観図を示す。
輻射パネル構造体５ａは、薄い板状の外形を有しており、平面的な形状となっている。また、輻射パネル構造体５ａは、天井ＣＬの近傍に天井ＣＬに平行に配置される。このため、輻射パネル構造体５ａは、下方の居住空間に対して他の方向よりも大きな投影面積を有している。輻射パネル構造体５ａは、空気取入れ口５１、輻射部５２および複数の形状保持部材５３ａ等を備えている。
【００２２】
空気取入れ口５１は、温度調整された空気を取り入れる部分であり、輻射パネル構造体５ａの側面の一つに設けられた開口である。空気取入れ口５１は、室内機ケーシング２１の接続口２７に脱着自在に接続され、室内ファン２３によって送られる空気（白抜き矢印Ａ１参照）が通過する。
輻射部５２は、天井ＣＬと共に、遠方へと空気を送る空気経路を構成する。具体的には、輻射部５２と天井ＣＬとの間の隙間Ｇ１が空気を遠方へと送る空気経路として機能する。また、輻射部５２は、輻射によって室内の温度調整を行う。輻射部５２は、第１輻射面５４、第２輻射面５５および３つの側面５６からなり、空気によって大気圧より大きな圧力が生じる圧力発生空間ＰＳを内部に構成する。
【００２３】
第１輻射面５４は、四角形の薄いシート状の形状を有しており、圧力発生空間ＰＳの下方を閉じる。第１輻射面５４は、室内の居住空間に面する位置に天井ＣＬと平行に配置されている。また、第１輻射面５４は、約０．９の輻射率を有する織布によって形成されている。
第２輻射面５５は、第１輻射面５４と同一の形状であり、圧力発生空間ＰＳの上方を閉じる。第２輻射面５５は、下側の面が第１輻射面５４と対向しており、上側の面が天井ＣＬに対向して配置されている。すなわち、第２輻射面５５は、天井ＣＬに対して所定の間隔を隔てて配置され、第１輻射面５４と天井ＣＬとの間に配置されている。第２輻射面５５は、吹出し口２８から吹き出された空気を遠方へと案内する。すなわち、第２輻射面５５と天井ＣＬとは、擬似的にダクトとしての機能を果たす。なお、第２輻射面５５は、第１輻射面５４と同じ織布で形成されている。
【００２４】
また、第２輻射面５５の上側の面には、図４に示すようなリブ５７がもうけられている。リブ５７は、第２輻射面５５から上方へと起立し、第２輻射面５５と天井ＣＬとの間を流れる空気の流れ（白抜き矢印Ａ２参照）に交差するように設けられている。リブ５７は、第２輻射面５５の両側端部近傍に沿って複数設けられており、空気取入れ口５１側から先端５９側まで所定間隔を隔てて並んで配置されている。リブ５７は、第２輻射面５５と天井ＣＬとの間を流れる空気の一部をこの空気の流れに交差する方向であってこの空気の流れから離反する方向へと変更する（白抜き矢印Ａ３参照）。これにより、室内空間から隙間Ｇ１へと向かう空気の流れ（実線矢印Ａ４参照）が抑制される。なお、図４では、リブ５７の一つにのみ符号を付してリブ５７については符号を省略している。
【００２５】
３つの側面５６は、細長い長方形の形状を有しており、空気取入れ口５１を除く圧力発生空間ＰＳの側方を閉じる。３つの側面５６は、第１輻射面５４の３つの辺と第２輻射面５５の３つの辺とをそれぞれ繋いでいる。また、３つの側面５６は、第１輻射面５４および第２輻射面５５と同じ織布で形成されている。
このように、輻射パネル構造体５ａは、空気取入れ口５１以外が閉じられた袋状の形状を有している。
【００２６】
複数の形状保持部材５３ａは、間隔を隔てて配置される糸状の部材である。複数の形状保持部材５３ａは、それぞれ同じ長さを有しており、一端が第１輻射面５４に固定され他端が第２輻射面５５に固定される。複数の形状保持部材５３ａは、第１輻射面５４と第２輻射面５５の各平面上に略均一に配置されている。形状保持部材５３ａは、圧力発生空間ＰＳに大気圧より大きな圧力が生じた場合に、第１輻射面５４と第２輻射面５５とを平坦な形状に保持し、輻射部５２を板状の形状に保持する。なお、図２では、形状保持部材５３ａの一つにのみ符号を付して他の形状保持部材５３ａについては符号を省略している。
【００２７】
［空気調和機の運転動作］
次に、この空気調和機１によって室内の空気調和を行う場合の運転動作について説明する。
〔冷房運転時〕
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。室内ファン２３は、冷却された空気（第２空気）を接続口２７へと送る。また、室内ファン２３は、室内熱交換器２２において熱交換されていない室温のままの空気を吹出し口２８へと送る。
【００２８】
冷却された空気は、図５に示すように、接続口２７および空気取入れ口５１を通って、輻射部５２内の圧力発生空間ＰＳへと送られる。冷却された空気が圧力発生空間ＰＳに送られると、大気圧より大きな正の静圧が圧力発生空間ＰＳに生じる。すなわち、圧力発生空間ＰＳを天井ＣＬに平行に流れる空気の流れ（実線矢印Ａ１参照）に対して垂直な方向に大気圧より大きな圧力が生じる。このため、冷却された空気が、輻射部５２の織布の繊維の隙間から押し出され、室内へと穏やかに吹き出される（実線矢印Ａ５参照）。
【００２９】
また、輻射部５２が冷却された空気と接触することによって、輻射部５２が冷却される。このため、輻射部５２による冷輻射が生じる（破線矢印Ａ６参照）。
室温のままの空気（第１空気）は、吹出し口２８を通って、第２輻射面５５と天井ＣＬとの間の隙間Ｇ１へと吹き出される。吹出し口２８から吹き出された空気は、第２輻射面５５と天井ＣＬとに沿って流れ（白抜き矢印Ａ２参照）、第２輻射面５５の先端を通り、吹出し口２８から遠く離れた室内空間へと到達する（白抜き矢印Ａ７参照）。この空気は、室温のままで吹出し口２８から吹き出されるため、第２輻射面５５と天井ＣＬとの間の隙間Ｇ１を流れることによって、第２輻射面５５からの冷輻射と冷却空気の吹出しとによって天井ＣＬが過度に冷やされることを防止することができる。このため、この空気は、天井裏での結露の発生を抑制することができる。また、吹出し口２８から吹き出された空気は、第２輻射面５５と天井ＣＬとの間を流れる際に、第２輻射面５５の冷輻射により冷却された天井ＣＬ面との熱交換と冷却空気の吹出しとによって、冷却される。このため、第２輻射面５５の先端を通って、吹出し口２８から遠く離れた室内空間へと到達した時には、冷却された空気となっている。
【００３０】
このように、この空気調和機１では、輻射部５２の繊維の隙間からの穏やかな吹き出しと、輻射部５２の冷輻射と、吹出し口２８から吹き出された空気とによって、室内の冷房が行われる。また、吹出し口２８から吹き出された空気によって天井裏の結露が防止される。
〔暖房運転時〕
暖房運転時には、室内熱交換器２２が凝縮器として機能して、通過する空気を加熱する。室内ファン２３は、加熱された空気（第２空気）を、冷房運転時と同様に、輻射部５２内の圧力発生空間ＰＳへと送る。また、室内ファン２３は、加熱されず室温のままの空気（第１空気）を吹出し口２８へと送る。
【００３１】
加熱された空気は、冷房運転時と同様に、圧力発生空間ＰＳを通り、織布の繊維の隙間から押し出され、室内へと穏やかに吹き出される。また、輻射部５２が加熱された空気と接触することによって、輻射部５２が加熱される。そして、輻射部５２による熱輻射が生じる。
室温のままの空気は、冷房運転時と同様に、吹出し口２８を通って、第２輻射面５５と天井ＣＬとの間の隙間Ｇ１へと吹き出される。吹出し口２８から吹き出された空気は、第２輻射面５５と天井ＣＬとに沿って流れ、第２輻射面５５の先端を通り、吹出し口２８から遠く離れた室内空間へと到達する。吹出し口２８から吹き出された空気は、第２輻射面５５と天井ＣＬとの間の空間を流れる際に、第２輻射面５５の熱輻射により加熱された天井ＣＬ面との熱交換と加熱空気の吹出しとによって、加熱される。このため、吹出し口２８から吹き出された空気は、第２輻射面５５の先端を通って、吹出し口２８から遠く離れた室内空間へと到達した時には、加熱された空気となっている。
【００３２】
このように、この空気調和機１では、輻射部５２の繊維の隙間からの穏やかな吹出しと、輻射部５２の熱輻射と、吹出し口２８から吹き出された空気とによって、室内の暖房が行われる。
〔運転時の汚れの防止〕
上記のように、冷房運転や暖房運転が行われる場合、天井ＣＬに汚れが生じる恐れがある。すなわち、吹出し口２８から吹き出された空気が第２輻射面５５と天井ＣＬとの間の隙間Ｇ１を流れると、この流れに周囲の空気が巻き込まれて、図４に示すような、室内空間から隙間Ｇ１へと向かう空気の流れ（実線矢印Ａ４参照）が生じる。そして、この空気の流れに乗って、空気中の汚れが天井ＣＬ近傍に集まることによって、天井ＣＬに汚れが生じる。
【００３３】
しかし、この空気調和機１では、第２輻射面５５の上側の面には、リブ５７が設けられている。吹出し口２８から吹き出された空気の一部は、このリブ５７によって、側方へと進路を変更される。すなわち、吹出し口２８から吹き出された空気の一部は、吹出し口２８から吹き出された空気の流れに交差する方向であってこの空気の流れから離反する方向へと流れる。このため、室内空間から隙間Ｇ１へと向かう空気の流れが抑えられる。これにより、空気の巻込みと共に汚れが巻込まれることが防止され、天井ＣＬへの汚れの付着が防止される。
【００３４】
［特徴］
（１）
この空気調和機１では、天井ＣＬと第２輻射面５５とが擬似的にダクトとして利用される。このため、吹出し口２８から吹き出された空気を遠方へと到達することができる。
【００３５】
また、天井ＣＬと第２輻射面５５とが擬似的にダクトとして利用されるため、天井裏にダクトを設ける必要がなく、コストが低減している。
（２）
一般に、空気調和機を含め室内に配置される機器に埃が堆積することがある。特に、上記のように、輻射パネル構造体５ａが天井ＣＬと平行に配置される場合には、第２輻射面５５の上側の面に埃が堆積しやすい。
【００３６】
この空気調和機１では、天井ＣＬと第２輻射面５５との間の隙間Ｇ１に空気が流される。このため、第２輻射面５５に埃が堆積することが防止される。
（３）
この空気調和機１では、吹出し口２８から吹き出された空気が第２輻射面５５によって冷却または加熱されることにより、冷却または加熱された空気を遠方へと到達させることができる。このため、室内がより均一に温度調整され、温度むらが解消される。
【００３７】
また、室内ファン２３による吹出しを強めて遠方の側壁や窓まで空気を到達させることによって、空気調和機１から離れた遠方の側壁や窓の温度調整を行うことができる。これにより、冷房運転時であれば側壁や窓からの熱輻射が緩和され、暖房運転時であれば側壁や窓からの冷輻射や冷気の流れ込みが緩和される。このため、これらが原因であった室内の温度むらが解消される。また、窓等で発生する結露が解消される。
【００３８】
（４）
温度調整された空気を直接室内へと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内の温度調整が行われても、ドラフトによって居住者等の体感温度を悪化させてしまう恐れがある。
【００３９】
この空気調和機１では、上記のように、輻射と穏やかな空気の吹出しとによって室内の冷暖房を行うことができる。また、隙間Ｇ１を流れる空気は、第２輻射面５５と天井ＣＬとによって室内の遠方まで到達する。このため、居住者等に風が直接に当たる恐れが少ない。このように、この空気調和機１では、ドラフトによる不快感が解消される。
【００４０】
（５）
輻射によって空気調和を行う従来の空気調和機では、輻射率の高い金属製の輻射パネルが用いられることが多い。
この空気調和機１では、輻射部５２が織布によって形成されているが、この織布は約０．９の輻射率を有する。このため、織布であっても輻射による室内の冷暖房を十分効果的に行うことができる。
【００４１】
また、織布の繊維の隙間から吹き出る空気によって、第１輻射面５４の外側まで、輻射部５２の内部の温度と同じ温度となっている。このため、輻射による室内の冷暖房を効率的に行うことができる。
（６）
この空気調和機１では、輻射パネル構造体５ａは、室内機ケーシング２１の接続口２７に脱着自在に取り付けられる。このため、輻射パネル構造体５ａを室内機ケーシング２１から取り外すことや、再び取り付けることが容易である。従って、輻射パネル構造体５ａの取付工事やメンテナンスが容易である。
【００４２】
また、輻射部５２は織布で形成されている。このため、輻射部５２に汚れが付着した場合に、輻射パネル構造体５ａを取り外して洗浄することができる。
＜第２実施形態＞
［構成］
本発明の第２実施形態にかかる空気調和機１では、室内熱交換器２２で熱交換され温度調整された空気が、吹出し口２８から吹き出される。室内ファン２３は、温度調整された空気（第１空気）を第２輻射面５５と天井ＣＬとの間の隙間Ｇ１に流す。
【００４３】
他の構成については、第１実施形態にかかる空気調和機１と同様である。
なお、吹出し口２８から吹出される空気と、圧力発生空間ＰＳへと送られる空気とは、同一の室内熱交換器２２によって温度調整されるのではなく、異なる熱源によってそれぞれ温度調整されてもよい。
［特徴］
従来よく利用されている対流型空気調和機の場合、室内の場所ごとに大きな温度差が生じる恐れがある。すなわち、吹き出される空気がよく届く場所と吹き出される空気が届き難い場所とで、温度差が生じ易い。もし、場所によって大きな温度差が生じると、場所による快不快の差が激しくなる。また、室内の高さ方向で大きな温度差が生じる恐れもある。
【００４４】
この空気調和機１では、第１輻射面５４の表面積を大きくすることにより、天井ＣＬ近傍から室内の居住空間の広い範囲へ向けて、輻射と穏やかな空気の吹出しとを行うことができる。また、温度調整が行われにくい空気調和機１から離れた遠方の部分に対しても、第２輻射面５５と天井ＣＬとを擬似的にダクトとして使用することにより、温度調整された空気を到達させることができる。このため、室内全体をより均一に暖めまたは冷却することができる。これにより、室内の場所によって不快な温度差が生じることを防止することができる。従って、この空気調和機１では、居住者等の不快感を解消することができる。また、複数の居住者等が室内にいる場合であっても、多くの居住者等にとって快適な温度環境を発生させることができる。
【００４５】
なお、輻射パネル構造体５ａは、天井ＣＬ近傍に配置され薄い板状の形状を有している。このため、居住空間に面する第１輻射面５４の表面積を比較的大きくしても、居住者等の邪魔になる恐れは少ない。
＜第３実施形態＞
［構成］
本発明の第３実施形態にかかる空気調和機１の輻射パネル構造体５ｂを図６に示す。
【００４６】
この輻射パネル構造体５ｂは、輻射部５２と天井ＣＬとの間に仕切り面５８を備えている。仕切り面５８は、天井ＣＬと第２輻射面５５との間を仕切る。室内ファン２３は、第２輻射面５５と仕切り面５８との間の隙間Ｇ２と、仕切り面５８と天井ＣＬとの間の隙間Ｇ３とにそれぞれ空気を送る。第２輻射面５５と仕切り面５８との間の隙間Ｇ２に送られる空気（第１空気、白抜き矢印Ａ８参照）は、室内熱交換器２２において温度調整された空気である。仕切り面５８と天井ＣＬとの間の隙間Ｇ３に送られる空気（白抜き矢印Ａ９参照）は、温度調整されていない室温のままの空気である。仕切り面５８と第２輻射面５５とは、温度調整された空気を遠方へと案内する。また、仕切り面５８と天井ＣＬとの間を室温のままの空気が流れる。
【００４７】
他の構成については、第１実施形態にかかる空気調和機１と同様である。
［特徴］
（１）
この空気調和機１では、室内ファン２３は、第２輻射面５５と仕切り面５８との隙間Ｇ２に温度調整された空気を流す。このため、温度調整された空気は、第２輻射面５５と仕切り面５８とに沿って流れて遠方へと到達することができる。このように、この空気調和機１では、第２輻射面５５と仕切り面５８とが擬似的にダクトとして利用されることにより、空気を遠方へと到達させることができる。また、第１輻射面５４からの輻射と吹出しとによっても室内の温度調整が行われる。このように、この空気調和機１では、より均一に室内の温度調整を行うことができ、室内の温度むらが解消される。
【００４８】
（２）
この空気調和機１では、室内ファン２３は、仕切り面５８と天井ＣＬとの隙間Ｇ３に室温のままの空気を流す。このため、天井裏が過度に冷却されることが防止され、天井裏での結露の発生が防止される。
＜他の実施形態＞
（１）
上記の実施形態では、天井ＣＬ近傍に輻射パネル構造体５ａが配置されているが、輻射パネル構造体５ａが室内の側壁ＷＬ近傍（図１参照）に沿うように配置されてもよい。この場合、側壁ＷＬと、側壁ＷＬに対向して配置される第２輻射面５５との間に空気が流される。
【００４９】
（２）
上記の実施形態では、第１輻射面５４や第２輻射面５５は、柔軟性を有する繊維系材料によって形成されているが、金属材料など剛性を有する材料で形成されてもよい。この場合、第１輻射面５４や第２輻射面５５に複数の孔が設けられることにより、上記と同様の効果を奏することができる。
【００５０】
また、上記の実施形態では、織布が、第１輻射面５４や第２輻射面５５の材料として使用されているが、織布以外の繊維系材料が使用されてもよい。
（３）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【００５１】
（４）
上記の実施形態では、室内機ケーシング２１の接続口２７に輻射パネル構造体５ａが接続されているが、空気が吹き出るダクト出口が室内の側壁ＷＬや天井ＣＬ等に直接に設けられている場合には、輻射パネル構造体５ａがダクト出口に接続されてもよい。
【００５２】
（５）
上記の実施形態では、１つの室内ファン２３によって、各種の空気の流れが生成されているが、それぞれの空気の流れを生成する複数の送風装置が設けられてもよい。
（６）
上記のような輻射パネル構造体５ａ，５ｂが既存の対流式空気調和機に取り付けられることによって、上記の空気調和機１が構成されてもよい。これにより、既存の空気調和機を有効利用することができる。
【００５３】
【発明の効果】
請求項１に記載の空気調和機では、輻射部からの輻射によって室内の温度調整を行うことができる。
また、送風部は、空気経路に第１空気を流す。このため、第１空気は、輻射部に沿って流れて遠方へと到達することができる。このように、この空気調和機では、輻射部を利用することによって、空気を遠方へと到達させることができる。
【００５４】
請求項２に記載の空気調和機では、送風部は、天井または側壁と輻射部との間に第１空気を流す。このため、第１空気は、天井または側壁と輻射部とに沿って遠方へと到達することができる。このように、この空気調和機では、天井または側壁と輻射部とを擬似的にダクトとして利用することにより、空気を遠方へと到達させることができる。
【００５５】
請求項３に記載の空気調和機では、送風部は、輻射部と仕切り部との間に第１空気を流す。このため、第１空気は、輻射部と仕切り部とに沿って遠方へと到達することができる。このように、この空気調和機では、輻射部と仕切り部とを擬似的にダクトとして利用することにより、空気を遠方へと到達させることができる。
【００５６】
請求項４に記載の空気調和機では、温度調整された第２空気により、輻射部の温度が調整される。これにより、この空気調和機は、輻射部からの輻射によって、室内の温度調整を行うことができる。また、輻射部が有する複数の孔から温度調整された第２空気が室内へ吹き出される。このため、この空気調和機は、輻射部の孔から吹き出される空気によっても、室内の温度調整を行うことができる。このように、この空気調和機では、輻射と空気の吹出しとが併用されるため、吹出しのみによって室内の温度調整が行われる場合と比べて、穏やかな吹出しによって室内の温度調整を行うことができる。このため、この空気調和機では、ドラフトによる不快感を低減することができる。
【００５７】
請求項５に記載の空気調和機では、圧力発生空間に生じた大気圧より大きな圧力によって、輻射部の繊維の目の隙間から温度調整された空気が室内へ吹き出される。このため、この空気調和機では、輻射部からの空気の吹出しが穏やかである。従って、この空気調和機では、穏やかな吹出しと輻射とによって室内の空気調和を行うことができる。
【００５８】
請求項６に記載の空気調和機では、送風部は、温度調整された第１空気を空気経路に流す。従って、温度調整された第１空気が遠方へと到達することができる。このため、この空気調和機では、より均一な室内の温度調整を行うことができ、温度むらの発生を抑えることができる。
【図面の簡単な説明】
【図１】第１実施形態にかかる空気調和機の外観図。
【図２】第１実施形態にかかる輻射パネル構造体の外観図。
【図３】制御ブロック図。
【図４】第２輻射面の上側面の図。
【図５】冷暖房が行われている空気調和機における空気の流れ等を示す図。
【図６】第３実施形態にかかる輻射パネル構造体の側面断面図。
【符号の説明】
１                空気調和機
２３              室内ファン（送風部）
５２              輻射部
５８              仕切り面（仕切り部）
Ｇ１，Ｇ２        隙間（空気経路）
ＣＬ              天井
ＷＬ              側壁
ＰＳ              圧力発生空間
【図１】
2004257697.tif 000003
【図２】
2004257697.tif 000004
【図３】
2004257697.tif 000005
【図４】
2004257697.tif 000006
【図５】
2004257697.tif 000007
【図６】
2004257697.tif 000008